(57)【要約】【課題】貼り合わせ部を構成する紫外線硬化型樹脂の結合状態の違いに起因する表示むらの発生を抑制できる表示装置の製造方法を提供する。【解決手段】表示装置11の製造方法は、タッチパネル13に、紫外光UVを拡散可能な保護フィルム31を、少なくとも所定領域を含む部分を覆うように貼り付ける。この製造方法では、タッチパネル13と液晶パネル12とを、流体状の紫外線硬化型樹脂30を介して互いに密着させる。この製造方法では、保護フィルム31側から紫外光UVを照射することで紫外線硬化型樹脂30を硬化させて貼り合わせ部14を形成する。【選択図】図１
2015210643.tif 000002
【特許請求の範囲】
【請求項１】
画像を表示する表示領域を備えた表示装置本体と、この表示装置本体の少なくとも前記表示領域を覆って配置され、光を透過可能な保護部材と、透光性を有し、これら表示装置本体と保護部材とを、前記表示領域の少なくとも一部を含む所定領域で互いに貼り合わせる貼り合わせ部とを具備した表示装置の製造方法であって、
前記保護部材に、紫外光を拡散可能な保護フィルムを、少なくとも前記所定領域を含む部分を覆うように貼り付け、
この保護部材と前記表示装置本体とを、流体状の紫外線硬化型樹脂を介して互いに密着させ、
前記保護フィルム側から紫外光を照射することで前記紫外線硬化型樹脂を硬化させて前記貼り合わせ部を形成する
ことを特徴とする表示装置の製造方法。
【請求項２】
前記保護フィルムのヘイズ値を５０％以上とする
ことを特徴とする請求項１記載の表示装置の製造方法。
【請求項３】
前記保護部材としてタッチパネルを用いる
ことを特徴とする請求項１または２記載の表示装置の製造方法。
【発明の詳細な説明】
【技術分野】
【０００１】
本発明の実施形態は、表示装置本体と保護部材とを互いに貼り合わせる貼り合わせ部を備えた表示装置の製造方法に関する。
【背景技術】
【０００２】
従来、例えばスマートフォンなどの多機能携帯端末に使用されるタッチパネル付きの液晶表示装置(ＬＣＤ)は、この液晶表示装置の表示装置本体である液晶パネルに対して、タッチパネルを貼り合わせ部によって貼り合わせることで構成されている。
【０００３】
このような貼り合わせ部として、例えば透光性の紫外線(ＵＶ)硬化型樹脂を用いて液晶パネルとタッチパネルとの全面を貼り合わせる、いわゆるラミネーション方式が知られている。このラミネーション方式の場合には、液晶パネル側とタッチパネル側との光学的なマッチングを取って界面反射を低減することで、視認性を確保する。
【０００４】
この貼り合わせ部を形成する際には、流体状のＵＶ硬化型樹脂を塗布して液晶パネルとタッチパネルとを密着させて紫外光(ＵＶ光)を照射することでＵＶ硬化型樹脂を硬化させる。そのため、紫外光が照射される際に、この紫外光が透過する部材の状態(傷あるいは汚れなど)により、紫外光が拡散されたり遮光されたりするなどの状態の変化が局所的に生じることがあり、その結果、ＵＶ硬化型樹脂の結合状態(屈曲率)が異なる箇所が生じ、その他の箇所との結合状態の差が虹状に輝く表示むら(虹むら)となって視認される。
【先行技術文献】
【特許文献】
【０００５】
【特許文献１】特開２０１０−２５７２０５号公報
【特許文献２】特開平１０−３３３１２７号公報
【発明の概要】
【発明が解決しようとする課題】
【０００６】
本発明が解決しようとする課題は、貼り合わせ部を構成する紫外線硬化型樹脂の結合状態の違いに起因する表示むらの発生を抑制できる表示装置の製造方法を提供することである。
【課題を解決するための手段】
【０００７】
実施形態の表示装置の製造方法は、画像を表示する表示領域を備えた表示装置本体と、この表示装置本体の少なくとも表示領域を覆って配置され、光を透過可能な保護部材と、透光性を有し、これら表示装置本体と保護部材とを、表示領域の少なくとも一部を含む所定領域で互いに貼り合わせる貼り合わせ部とを具備した表示装置の製造方法である。この製造方法は、保護部材に、紫外光を拡散可能な保護フィルムを、少なくとも所定領域を含む部分を覆うように貼り付ける。また、この製造方法では、保護部材と表示装置本体とを、流体状の紫外線硬化型樹脂を介して互いに密着させる。そして、この製造方法では、保護フィルム側から紫外光を照射することで紫外線硬化型樹脂を硬化させて貼り合わせ部を形成する。
【図面の簡単な説明】
【０００８】
【図１】一実施形態の表示装置の製造方法を(a)ないし(c)の順に示す断面図である。
【図２】同上表示装置の表示装置本体を示す平面図である。
【発明を実施するための形態】
【０００９】
以下、一実施形態の構成を図１及び図２を参照して説明する。
【００１０】
図１及び図２において、11は表示装置(平面表示装置(ＦＰＤ))であり、この表示装置11は、例えばスマートフォンやモバイルＰＣなどの各種多機能携帯端末に搭載される液晶表示装置である。
【００１１】
そして、この表示装置11は、表示装置本体としての液晶パネル12と、この液晶パネル12を覆う保護部材としてのタッチパネル13と、これら液晶パネル12とタッチパネル13とを貼り合わせる貼り合わせ部14とを備えている。
【００１２】
液晶パネル12は、例えばアクティブマトリクス方式の液晶パネルモジュールであり、一方の基板としての四角形状のアレイ基板21と、このアレイ基板21に所定の間隙を介して対向配置された他方の基板としての四角形状の対向基板22と、これら基板21，22間に介在された光変調層である液晶層23と、これら基板21，22にそれぞれ貼り付けられた偏光板24，25とを備えている。本実施形態では、液晶パネル12としては例えば反射型のものを例に挙げて説明するが、バックライトを用いる透過型や半透過型のものでもよい。
【００１３】
アレイ基板21と対向基板22とは、例えばガラス基板などの透光性を有する絶縁性基板の一主面上にそれぞれ所定の機能層を形成することで薄い平板状(平坦状)に構成されている。具体的に、アレイ基板21には、格子状に配置された図示しない機能層である走査線及び信号線と、これら走査線及び信号線が交差する位置にてこれら走査線及び信号線に電気的にそれぞれ接続された機能層であるスイッチング素子としての薄膜トランジスタ(ＴＦＴ)と、これら薄膜トランジスタと電気的に接続された透明電極である画素電極とが一主面に形成されている。また、対向基板22には、機能層である対向電極(共通電極)と、各画素電極に対応する機能層であるカラーフィルタ(ＣＦ)などとが一主面に形成されている。そして、これらアレイ基板21と対向基板22とは、一主面同士を互いに対向させてシール部材により貼り合わせられている。
【００１４】
液晶層23は、アレイ基板21と対向基板22とを貼り合わせたシール部材により囲まれた四角形状の領域に封入されて挟持されている。そして、この液晶層23が封入されている領域が、画素電極により構成される図示しない複数の画素がマトリクス状に形成された表示領域27となっている。
【００１５】
この表示領域27は、例えば対向基板22に取り付けられた偏光板25により全体が覆われている。また、表示領域27に位置する各画素は、アレイ基板21に対して実装された機能部材としてのＩＣであるドライバ28と電気的に接続され、このドライバ28を介して駆動されるように構成されている。そして、この液晶パネル12は、アレイ基板21に実装されたフレキシブル基板29を介して外部回路により制御されたドライバ28によって画素を駆動することにより、入射光の反射率を画素毎に変化させることで、表示領域27に画像などを表示可能となっている。
【００１６】
タッチパネル13は、例えば指先などの接近あるいは接触により変化する静電容量を検知することで使用者の指や入力ペンなどのポインタのタッチ及びそのタッチ位置を検出する静電容量型のセンサであり、例えばガラス基板などの透光性を有する絶縁性基板である保護カバーの一主面上に下層透明導電膜、酸化膜、上層透明導電膜及び保護膜などが形成されて構成され、この透明電極側を液晶パネル12側に向けて配置されている。そして、このタッチパネル13は、液晶パネル12の表示領域27に表示された画像を透過できるように、透光性を有して(可視光を透過可能に)形成されている。
【００１７】
また、タッチパネル13の保護カバーには、製造時あるいは輸送時などの表面の傷や汚れを防止するための保護用の保護フィルム31が貼り付けられる。この保護フィルム31は、紫外光UVの拡散性を有する、例えばＰＥＴなどを基材とする拡散フィルムであり、厚みが例えば０．０８ｍｍ〜０．１５ｍｍ、波長が３６０ｎｍ〜４００ｎｍ程度の紫外光UVの透過率が８０％程度、ヘイズ値が例えば５０％以上に設定されている。また、この保護フィルム31は、貼り合わせ部14と対応する部分全体を覆う大きさの、例えば四角形状などに形成されている。
【００１８】
そして、貼り合わせ部14は、表示領域27を含む所定領域、本実施形態では対向基板22の偏光板25全体を覆う平面視四角形状に形成された面状の部分であり、偏光板25の位置で液晶パネル12とタッチパネル13側とを貼り合わせるものである。すなわち、この貼り合わせ部14は、面状に広がって形成されている。この貼り合わせ部14は、対向基板22側(偏光板25)とタッチパネル13側との光学的なマッチングを取って界面反射を低減するもので、例えば透光性を有するアクリル系などの流体状の紫外線(ＵＶ)硬化型樹脂30を紫外光UVによって硬化させて形成されている。この紫外線硬化型樹脂30は、塗布した状態で流れて広がるように低粘度に設定されている。
【００１９】
次に、上記一実施形態の製造方法を説明する。
【００２０】
まず、絶縁性基板上に適宜の成膜及びエッチングなどを施してアレイ基板21及び対向基板22を形成する。次いで、液晶層23を構成する液晶材料を介在してこれら基板21，22を所定の間隙を介して互いに貼り合わせる、または互いに所定の間隙を介して貼り合わせた後、液晶層23を構成する液晶材料を間隙に注入(滴下)する。さらに、アレイ基板21にドライバ28及びフレキシブル基板29などを実装する。そして、偏光板24，25を基板21，22に貼り付けることで、液晶パネル12が完成する。
【００２１】
一方、絶縁性基板である保護カバー上に下層透明導電膜、酸化膜、上層透明導電膜及び保護膜などを適宜成膜するとともに、図示しないフレキシブルプリント基板などを熱圧着して実装することで、タッチパネル13が完成する。
【００２２】
この後、タッチパネル13の保護カバーに保護フィルム31(図１(a))を貼り付ける。そして、上記完成した液晶パネル12の対向基板22(偏光板25)上に液状の紫外線硬化型樹脂30を塗布し(図１(a))、上記完成したタッチパネル13を位置合わせして重ねて密着させる(図１(b))。このとき、紫外線硬化型樹脂30は、粘度が低いため、対向基板22(偏光板25)上に沿って面状に広がる。そして、紫外線硬化型樹脂30に対してタッチパネル13の保護フィルム31側から紫外光UVを所定時間照射することで、紫外線硬化型樹脂30を硬化させて貼り合わせ部14を形成する(図１(c))。すなわち、液晶パネル12の対向基板22側の位置を、表示領域27を覆って面状の貼り合わせ部14によってタッチパネル13側と貼り合わせる。この後、これら貼り合わせた液晶パネル12及びタッチパネル13を図示しないケース体に収納して表示装置11が完成する。なお、保護フィルム31は、輸送などが終了し、表示装置11を別装置に組み込む際や、最終製品としてユーザに提供される際、あるいはユーザが使用する際などには、タッチパネル13から剥がすことができる。
【００２３】
以上説明した一実施形態では、タッチパネル13に、紫外光UVを拡散可能な保護フィルム31を、少なくとも表示領域27を覆う所定領域を含む部分を覆うように貼り付けて、タッチパネル13と液晶パネル12とを貼り合わせる流体状の紫外線硬化型樹脂30を、保護フィルム31側から紫外光UVを照射することで硬化させて貼り合わせ部14を形成する。このため、保護フィルム31に照射されて入射した紫外光UVが保護フィルム31によって拡散され、略均一な状態で紫外線硬化型樹脂30へと照射されることとなる。この結果、例えば保護フィルム31自体に傷や汚れが付いている場合などに、その部分を透過して紫外線硬化型樹脂30に照射される紫外光UVが、その他の部分を透過して紫外線硬化型樹脂30に照射される紫外光UVと比較してその照射状態が変わることがなく、紫外線硬化型樹脂30の結合状態(屈曲率)が異なる箇所が局所的に生じることがないので、この結合状態の違いに起因する表示むらの発生を抑制できる。
【００２４】
また、保護フィルム31のヘイズ値を５０％以上とすることで、紫外光UVをより確実に拡散させて、保護フィルム31自体に付いた傷や汚れなどに起因する紫外線硬化型樹脂30の結合状態の違いをより確実に低減でき、画像の表示むらをより確実に抑制できる。
【００２５】
さらに、保護部材としてタッチパネル13を用いているので、タッチ機能を備えた表示装置11に対しても好適に用いることができる。
【００２６】
なお、上記一実施形態において、液晶パネル12は、対向基板22に対向電極を形成するモードとしたが、アレイ基板21側に対向電極を形成する、ＩＰＳモードなどの液晶パネル12でもよい。
【００２７】
また、タッチパネル13は、保護カバー上に透明導電膜などを形成する構成としたが、透明導電膜などを形成した単数、あるいは複数のフィルムなどを保護カバーに対して貼り合わせる構成などとしてもよい。
【００２８】
さらに、保護部材としてはタッチパネル13を用いたが、透光性を有する単なる保護用の保護カバーでもよい。
【００２９】
そして、表示装置本体としては、液晶パネル12に限らず、例えば有機ＥＬパネルなどを用いることもできる。
【００３０】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３１】
11    表示装置
12    表示装置本体としての液晶パネル
13    保護部材としてのタッチパネル
14    貼り合わせ部
27    表示領域
30    紫外線硬化型樹脂
31    保護フィルム
UV    紫外光
【図１】
2015210643.tif 000003
【図２】
2015210643.tif 000004